(57)【特許請求の範囲】
【請求項１】
基台と、この基台に垂直面内で傾動可能に連結された本体部と、前記基台と前記本体部との相対角度を調節する角度調節装置とを有し、
前記基台の底面には壁掛け穴が形成され、前記壁掛け穴により、電話機を前記基台の底面を壁に対面させた状態である壁掛け状態で設置可能であり、
前記壁掛け状態で前記角度調節装置により本体部の角度を調節可能な電話機であって、
前記角度調節装置は、前記基台に固定された台座と、前記本体部に固定された傾動台とを相対移動可能に設けて構成され、
前記傾動台は、１対の垂直な支持板の各々に、複数点在させた係合部を設け、
前記台座は、前記係合部に係合するラッチと、該ラッチと前記係合部の係合を外す操作レバーが取り付けられ、
前記ラッチが、前記係合部と係合されることで前記支持板と前記台座との相対移動を止め、前記操作レバーにより、前記係合部から前記ラッチを外すことにより、前記基台と前記本体部の相対角度を調節可能としたことを特徴とする電話機。
【請求項２】
前記本体部はハンドセットとクレイドル部を備え、前記ハンドセットには、送話部と受話部の間に穴が形成されており、前記クレイドル部には、前記穴に嵌合して前記ハンドセットを保持する隆起部が形成されていることを特徴とする請求項１に記載の電話機。
【発明の詳細な説明】
【技術分野】
【０００１】
本発明は卓上載置状態でも壁掛け状態でも使用可能な電話機に関する。
【背景技術】
【０００２】
卓上載置状態でも壁掛け状態でも使用可能な電話機については種々の提案がなされている。特許文献１、２にその例を見ることができる。また卓上型電話機の本体部の角度を調節可能にし、操作しやすい角度で使用できるようにするという提案も数多くなされている。特許文献３、４にその例を見ることができる。
【特許文献１】特開平６−４６１１４号公報（［０００５］−［０００８］、図１、２）
【特許文献２】特開平１１−１３６３３０号公報（［００１４］−［００１７］、図１−６）
【特許文献３】特開２００４−１９４０９０号公報（［０００７］、図１、２）
【特許文献４】特開２００３−８７３８２号公報（［００３９］、図１−２８）
【発明の開示】
【発明が解決しようとする課題】
【０００３】
従来の壁掛け型電話機では、操作性を向上させるため本体部の角度を調節可能にするといったことは考慮されていなかった。本発明はこの点に鑑みなされたもので、卓上載置状態でも壁掛け状態でも使用可能な電話機において、どちらの状態でも本体部の角度を調節することができるものを提供することを目的とする。
【課題を解決するための手段】
【０００４】
（１）上記目的を達成するために本発明の電話機は、基台と、この基台に垂直面内で傾動可能に連結された本体部と、前記基台と前記本体部との相対角度を調節する角度調節装置とを有し、前記基台の底面には壁掛け穴が形成され、前記壁掛け穴により、電話機を前記基台の底面を壁に対面させた状態である壁掛け状態で設置可能であり、前記壁掛け状態で前記角度調節装置により本体部の角度を調節可能な電話機であって、前記角度調節装置は、前記基台に固定された台座と、前記本体部に固定された傾動台とを相対移動可能に設けて構成され、前記傾動台は、１対の垂直な支持板の各々に、複数点在させた係合部を設け、前記台座は、前記係合部に係合するラッチと、該ラッチと前記係合部の係合を外す操作レバーが取り付けられ、前記ラッチが、前記係合部と係合されることで前記支持板と前記台座との相対移動を止め、前記操作レバーにより、前記係合部から前記ラッチを外すことにより、前記基台と前記本体部の相対角度を調節可能としたことを特徴としている。
【０００５】
この構成によると、基台を壁掛け状態にすれば本体部も壁掛け状態になり、  しかもその状態で本体部の角度を調節して使いやすい角度にすることができる  。
【０００６】
（２）また本発明は、上記構成の電話機において、前記本体部はハンドセットとクレイドル部を備え、前記ハンドセットには、送話部と受話部の間に穴が形成されており、前記クレイドル部には、前記穴に嵌合して前記ハンドセットを保持する隆起部が形成されていることを特徴としている。
【０００７】
この構成によると、単なる載置や引っ掛けでハンドセットを保持するのでなく、穴と隆起部の嵌合でハンドセットを保持するから、ハンドセットのがたつきが少なくなり、地震などの振動にも強い、しっかりとした保持構造を形成できる。
【発明の効果】
【０００８】
このような構成とすることにより本願発明は、卓上載置状態で本体部の角度が調節可能であることはもちろん、壁掛け状態でも本体部の角度を調節可能であり、
特に壁掛け状態では、操作レバーを押し下げることにより、ラッチを係合部から外して基台と本体部の相対角度を調節して、本体部の角度を使いやすい角度に固定することが出来る。
【発明を実施するための最良の形態】
【０００９】
以下、本発明の一実施形態を図に基づき説明する。図１は正面側から見た電話機の斜視図、図２は図１からハンドセットを取り除いた状態の斜視図、図３は背面側から見た電話機の斜視図、図４は卓上載置状態の電話機の側面図、図５は卓上載置状態の電話機の側面図にして、図４と異なる角度状態のもの、図６は壁掛け状態の電話機の側面図、図７は壁掛け状態の電話機の側面図にして、図６と異なる角度状態のもの、図８は本体部及びハンドセットの正面図、図９は図８のＡ−Ａ部断面図、図１０は角度調節装置の斜視図、図１１は角度調節装置の断面図、図１２は図１１と断面箇所を変えた角度調節装置の断面図である。
【００１０】
電話機１は基台１０と本体部２０を備える。基台１０は平面形状円形で、その上に本体部２０は、垂直面内で傾動可能に支持されている。基台１０と本体部２０を連結するのは後述する角度調節装置である。基台１０は図１のように卓上載置状態で使用することも可能であり、また底面の壁掛け穴（図示せず）を利用して、図６のように底面を壁面に対面させた壁掛け状態で使用することも可能である。
【００１１】
本体部２０の筐体２１の正面は、全体の中で右側３分の２ほどが操作部２２として構成され、左側３分の１ほどがクレイドル部２３として構成される。操作部２２には、テンキー、ジョグキー、各種ファンクションキーなどのキー群２４と、液晶パネルによる表示部２５が配置される。クレイドル部２３には、通話回線を開閉するスイッチレバー２６と、ハンドセット４０を保持する隆起部２７とが設けられている。ハンドセット４０は図示しないカールコードで本体部２０に接続される。
【００１２】
隆起部２７によるハンドセット４０の保持につき説明する。隆起部２７は、正面から見ると上下方向に長い長円形をなしており、上端には長円形の長軸方向に突き出す突起２８が形成されている。ハンドセット４０の送話部４１と受話部４２（図９参照）の間には、隆起部２７を受け入れる長円形の穴４３が形成される。穴４３の上端には突起２８を受け入れる凹部４４が形成されている。穴４３に隆起部２７を嵌合させ、凹部４４に突起２８を係合させることにより、ハンドセット４０はがたつきの少ない状態でクレイドル部２３に保持される。保持されたハンドセット４０は、それを斜め上にずらすことによってしか隆起部２７から外れない。従ってこの保持構造は地震などの振動にも強い。角度調節装置により本体部２０の角度がどのように調節されたとしても、隆起部２７と突起２８の組み合わせでハンドセット４０を保持することができる。
【００１３】
穴４３は透明な合成樹脂製のパネル４５（図９参照）で塞がれ、素通しではない。パネル４５はハンドセット４０の背面側（送話口や受話口のない側）の表面の一部を構成する。  隆起部２７もその頂部は透明な合成樹脂製のパネル２９（図９参照）で構成される。パネル２９はＬＥＤ３０で照明される。ＬＥＤ３０は本体部２０の中に配置された電子回路基板３１の表面に実装されている。ＬＥＤ３０にはリフレクタ３２が組み合わされ、ＬＥＤ３０の放つ光がパネル２９に集中するようになっている。
【００１４】
クレイドル部２３には、隆起部２７より上の箇所にスイッチレバー２６が設けられている。スイッチレバー２６の先端はクレイドル部２３に形成された貫通孔３３から突き出す。ハンドセット４０を隆起部２７に掛けると受話部４２でスイッチレバー２６が押し込まれ、
電話機１は回線開放状態となる。ハンドセット４０を隆起部２７から外すとスイッチレバー２６が突出し、電話機１は回線閉成状態となる。
【００１５】
続いて、基台１０と本体部２０を連結する角度調節装置５０の構造を図１０−１２に基づき説明する。角度調節装置５０には基台１０に固定される部分と本体部２０に固定される部分とがある。基台１０に固定される部分の中心となるのが金属製の台座５１である。台座５１は板金を断面コ字形に折曲したものであり、基台１０にねじ止めされる中央部分５１Ｃの両側に、互いに間隔を置いて平行に配置される１対の垂直部分５１Ｖを設けた形になっている。垂直部分５１Ｖは筐体２１に形成したスリット３４（図３参照）を通じて本体部２０の内部に入り込む。
【００１６】
本体部２０に入り込んだ１対の垂直部分５１Ｖは、本体部２０の内面に固定された金属製の傾動台５２を挟む形になる。台座５１と同様、傾動台５２も板金を断面コ字形に折曲したものであり、筐体２１にねじ止めされる中央部分５２Ｃの両側に、互いに間隔を置いて平行に配置される１対の垂直な支持板５２Ｖを設けた形になっている。なお筐体２１の側面形状に合わせ、支持板５２Ｖは円の周縁近くを弦で切り取った三日月形状に成形されている。
【００１７】
１対の支持板５２Ｖには、それぞれ基台１０に向かって凸をなす円弧溝５３が形成される。１対の垂直部分５１Ｖは、１対の円弧溝５３を串刺しにする支持軸５４、５５を、各々軸の両端部で支持する。支持軸５４、５５は水平であり、且つ互いに間隔を置いて平行に配置されている。円弧溝５３を支持軸５４、５５に対して滑らせると、傾動台５２には円弧の中心まわりに回転しているのと同様の円運動が生じる。この円運動は、垂直面内における本体部２０の傾き（tilt）となって表れる。
【００１８】
円弧溝５３の一方の端に支持軸５４が当たる角度と、円弧溝５３の他方の端に支持軸５５が当たる角度との間で、傾動台５２と台座５１とは相対移動可能である。その中間の数箇所の位置で相対移動を止める仕組みを角度調節装置５０は備える。その仕組みは次の通りである。
【００１９】
まず、円弧溝５３に沿って複数の係合部５６を点在させる。係合部５６は円弧溝５３の上方の内側面に形成された切り欠きからなる。そして台座５１に設けられたラッチ５７をいずれかの係合部５６に係合させて支持板５２Ｖと台座５１との相対移動を止める。
【００２０】
ラッチ５７は、切り欠きに係合する軸５８と、軸５８の両端を支持軸５４の両端に連結するリンク５９により構成される。ラッチ５７は、リンク５９と垂直部分５１Ｖとを連結する引張コイルばね６０により、図１１において常時時計回り方向に、すなわち軸５８が係合部５６に係合する方向に付勢されている。
【００２１】
ラッチ５７を係合部５６から外すのは操作レバー６１である。操作レバー６１は、本体部２０の筐体２１の外側で、軸６２により垂直部分５１Ｖに取り付けられている。軸５８は傾動台５２の外側にアーム６３を支持しており、両側のアーム６３をブリッジ部６４が連結している。そしてブリッジ部６４の上を操作レバー６１が通る。操作レバー６１を自由にしておくと筐体２１に当たって音を立てるので、基台１０には操作レバー６１が筐体２１に当たらないようにするストッパ６５が設けられている。
【００２２】
基台１０にはゴムや軟質合成樹脂のブロックからなる弾性部材６６が金具６７によって固定されている。弾性部材６６は筐体２１の外面に当たって本体部２０に上向きの力を加え、円弧溝５３の下方の内側面を支持軸５４、５５に当接させてがたつきを防止する働きをする。
【００２３】
図４は、電話機１を梱包箱から取り出し、そのまま卓上に置いた状態を示す。操作レバー６１の端を指で押し下げると、操作レバー６１からブリッジ部６４、ブリッジ部６４からアーム６３を経てラッチ５７に力が加わり、ラッチ５７は現在の係合部５６から抜け出す。この状態で本体部２０の傾きを変え、所望の角度に近くなったところで操作レバー６１から指を離す。そのまま本体部２０の傾きを少し変えてやれば、ラッチ５７は引張コイルばね６０の力で最寄りの係合部５６に係合する。これにより、本体部２０はほぼ所望の角度に落ち着く。図５には本体部２０の角度を図４よりも水平に近く調節した状態が描かれている。
【００２４】
電話機１を壁掛け状態で使用するときにも操作レバー６１で本体部２０の角度を変えることができる。図６ではハンドセット４０がほぼ垂直をなしているが、図７の状態ではハンドセット４０が斜めになっている。ハンドセット４０の取りやすさや表示部２５の見やすさを考慮して、適当な角度に固定すればよい。
【産業上の利用可能性】
【００２５】
本発明は卓上据え置きと壁掛けに兼用できるタイプの電話機に広く利用可能である。
【図面の簡単な説明】
【００２６】
【図１】正面側から見た電話機の斜視図
【図２】図１からハンドセットを取り除いた状態の斜視図
【図３】背面側から見た電話機の斜視図
【図４】卓上載置状態の電話機の側面図
【図５】卓上載置状態の電話機の側面図にして、図４と異なる角度状態のもの
【図６】壁掛け状態の電話機の側面図
【図７】壁掛け状態の電話機の側面図にして、図６と異なる角度状態のもの
【図８】本体部及びハンドセットの正面図
【図９】図８のＡ−Ａ部断面図
【図１０】角度調節装置の斜視図
【図１１】角度調節装置の断面図
【図１２】図１１と断面箇所を変えた角度調節装置の断面図
【符号の説明】
【００２７】
１    電話機
１０  基台
２０  本体部
２２  操作部
２３  クレイドル部
２７  隆起部
４０  ハンドセット
４３  穴
５０  角度調節装置
【図１】
0004781138.tif 000002
【図２】
0004781138.tif 000003
【図３】
0004781138.tif 000004
【図４】
0004781138.tif 000005
【図５】
0004781138.tif 000006
【図６】
0004781138.tif 000007
【図７】
0004781138.tif 000008
【図８】
0004781138.tif 000009
【図９】
0004781138.tif 000010
【図１０】
0004781138.tif 000011
【図１１】
0004781138.tif 000012
【図１２】
0004781138.tif 000013